(57)【特許請求の範囲】
【請求項１】
固体撮像素子の光電変換部に被写体像を結像させるための撮像レンズであって、
物体側より順に、
正の屈折力を有し物体側に凸面を向けた第１レンズと、
負の屈折力を有し像側に凹面を向けた第２レンズと、
負の屈折力を有する第３レンズと、
正の屈折力を有し像側に凸面を向けたメニスカス形状の第４レンズと、
負の屈折力を有し像側に凹面を向けた第５レンズと、
からなり、
前記第１レンズから前記第５レンズの各々が接合されずに配置されており、
前記第５レンズの像側面は非球面形状を有し、光軸との交点以外の位置に変曲点を有し、
以下の条件式を満足することを特徴とする撮像レンズ。
Ｌ／２Ｙ＜１．１      ・・・（１０）
ただし、
Ｌ：撮像レンズ全系の最も物体側のレンズ面から像側焦点までの光軸上の距離
２Ｙ：固体撮像素子の撮像面対角線長
【請求項２】
以下の条件式を満足することを特徴とする請求項１に記載の撮像レンズ。
０．９＜ｆ１２／ｆ≦１．３７５          ・・・（１）
ただし、
ｆ１２：第１レンズと第２レンズの合成焦点距離
ｆ：撮像レンズ全系の焦点距離
【請求項３】
以下の条件式を満足することを特徴とする請求項１又は２に記載の撮像レンズ。
−２．５＜ｆ２／ｆ＜−１．０            ・・・（２）
ただし、
ｆ２：第２レンズの焦点距離
ｆ：撮像レンズ全系の焦点距離
【請求項４】
以下の条件式を満足することを特徴とする請求項１乃至３のいずれか１項に記載の撮像レンズ。
−２．３５＜Ｐａｉｒ２３／Ｐ＜−０．７５  ・・・（６）
ただし、
Ｐ：前記撮像レンズ全系の屈折力
Ｐａｉｒ２３：前記第２レンズの像側面（ｒ４）と前記第３レンズの物体側面（ｒ５）とにより形成されるいわゆる空気レンズの屈折力であり、また、屈折力とは焦点距離の逆数であり、上記Ｐａｉｒ２３は、下記の（７）式で求めることができる。
Ｐａｉｒ２３＝｛（１−ｎ２）／ｒ４｝＋｛（ｎ３−１）／ｒ５｝
−｛（１−ｎ２）・（ｎ３−１）・ｄ２３／（ｒ４・ｒ５）｝・・・（７）
ただし、
ｎ２：第２レンズのｄ線に対する屈折率
ｎ３：第３レンズのｄ線に対する屈折率
ｒ４：第２レンズ像側面の曲率半径
ｒ５：第３レンズ物体側面の曲率半径
ｄ２３：第２レンズと第３レンズの軸上の空気間隔
【請求項５】
前記第３レンズの物体側面は非球面形状を有し、周辺に向かうに従い前記第２レンズ側へ湾曲していくような形状となっていることを特徴とする請求項１乃至４のいずれか１項に記載の撮像レンズ。
【請求項６】
前記第２レンズの像側面は非球面形状を有し、光軸から周辺に離れるに従って負の屈折力が弱くなる形状を持つことを特徴とする請求項１乃至５のいずれか１項に記載の撮像レンズ。
【請求項７】
前記第４レンズの像側面は非球面形状を有し、光軸から周辺に離れるに従って正の屈折力が弱くなる形状を持つことを特徴とする請求項１乃至６のいずれか１項に記載の撮像レンズ。
【請求項８】
前記撮像レンズは開口絞りを有し、前記開口絞りは前記第１レンズの物体側面の光軸上の位置より後方であって、前記第１レンズの物体側面の最周辺部より前方に配置したことを特徴とする請求項１乃至７のいずれか１項に記載の撮像レンズ。
【請求項９】
前記第１レンズ乃至第５レンズの全てがプラスチック材料で形成されていることを特徴とする請求項１乃至８のいずれか１項に記載の撮像レンズ。
【請求項１０】
被写体像を光電変換する固体撮像素子と、請求項１乃至９のいずれか一項に記載の撮像レンズを備えたことを特徴とする撮像装置。
【請求項１１】
請求項１０に記載の撮像装置を備えたことを特徴とする携帯端末。
【発明の詳細な説明】
【技術分野】
【０００１】
本発明は、ＣＣＤ型イメージセンサあるいはＣＭＯＳ型イメージセンサ等の固体撮像素子に用いられる、小型で明るい撮像レンズ、該撮像レンズを備えた撮像装置、及び該撮像装置を備えた携帯端末に関するものである。
【背景技術】
【０００２】
近年、ＣＣＤ型イメージセンサやＣＭＯＳ型イメージセンサ等の固体撮像素子を用いた撮像装置が搭載された携帯端末が普及している。このような携帯端末に搭載される撮像装置においても、より高画質の画像が得られるよう、高画素数の撮像素子を使用したものが市場に供給されるようになってきた。高画素数をもつ撮像素子は大型化をともなっていたが、近年、画素の高細密化が進み、撮像素子が小型化されるようになってきた。
【０００３】
このような高細密化された撮像素子に使用される撮像レンズは高い解像力が要求されるが、解像力はＦ値により限界があり、従来のようなＦ２．８程度のＦ値では十分な性能が得られなくなってきている。このため、Ｆ値の小さい明るいレンズの方が高解像力を得られるため、高画素の小型化された撮像素子に適した、Ｆ２程度の明るい撮像レンズが求められるようになってきた。このような用途の撮像レンズとしては、３枚あるいは４枚構成のレンズに比べ大口径比化および高性能化が可能である５枚構成の撮像レンズが提案されている。
【０００４】
５枚構成の撮像レンズとして、物体側より順に正または負の屈折力を有する第１レンズ、正の屈折力を有する第２レンズからなる前群、開口絞り、負の屈折力を有する第３レンズ、正の屈折力を有する第４レンズ、負または正の屈折力を有する第５レンズからなる後群で構成された撮像レンズが知られている（例えば、特許文献１、特許文献２参照）。
【０００５】
また、４枚構成でＦ２程度の明るさを有する撮像レンズも知られている（例えば、特許文献３参照）。
【先行技術文献】
【特許文献】
【０００６】
【特許文献１】特開２００７−２７９２８２号公報
【特許文献２】特開２００６−２９３０４２号公報
【特許文献３】特開２００７−３２２８４４号公報
【発明の概要】
【発明が解決しようとする課題】
【０００７】
しかしながら、上記特許文献１に記載の撮像レンズは、前群が球面系で構成されているためＦ２程度に明るくすると、球面収差やコマ収差の補正が不十分で良好な性能を確保できない。また、前群および後群とも正の屈折力を有する構成のため、後群が負の屈折力を有するテレフォトタイプのような構成に比べ、光学系の主点位置が像側になりバックフォーカスが長くなるため、撮像レンズの全長（最も物体側の第１面から像面までの光軸上の長さ）が長くなる問題がある。
【０００８】
また、上記特許文献２に記載の撮像レンズは、Ｆ２程度の明るさを有しているが、第１レンズおよび第２レンズともに正の屈折力を有する構成のため、前群での色補正が不十分である。さらに、特許文献１と同様に前群および後群とも正の屈折力を有する構成であるとともに、最終レンズも正レンズであるため、撮像レンズの全長が長くなる問題がある。
【０００９】
さらに、上記特許文献３に記載の撮像レンズは、Ｆ２程度の明るさを有しているが、４枚構成であるため収差補正が不十分であり、高画素化に対応した撮像レンズに適しているとは言いがたい。
【００１０】
本発明は、上記問題点に鑑みてなされたものであり、Ｆ２程度の十分な明るさを有し、諸収差が良好に補正された、５枚構成の小型の撮像レンズを提供することを目的とし、該撮像レンズを備えることで高画質の良好な撮影画像の得られる撮像装置、及び該撮像装置を備えた携帯端末を得ることを目的とするものである。
【００１１】
ここで、小型の撮像レンズの尺度であるが、本発明では下記の（１０）式を満たすレベルの小型化を目指している。この範囲を満たすことで、撮像装置全体の小型軽量化が可能となる。
【００１２】
Ｌ／２Ｙ＜１．１                        ・・・（１０）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
ここで、像側焦点とは撮像レンズに光軸と平行な平行光線が入射した場合の像点をいう。
【００１３】
なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。
【課題を解決するための手段】
【００１４】
上記の目的は、下記に記載する発明により達成される。
【００１５】
請求項１に記載の撮像レンズは、固体撮像素子の光電変換部に被写体像を結像させるための撮像レンズであって、物体側より順に、正の屈折力を有し物体側に凸面を向けた第１レンズと、負の屈折力を有し像側に凹面を向けた第２レンズと、負の屈折力を有する第３レンズと、正の屈折力を有し像側に凸面を向けたメニスカス形状の第４レンズと、負の屈折力を有し像側に凹面を向けた第５レンズと、からなり、前記第１レンズから前記第５レンズの各々が接合されずに配置されており、前記第５レンズの像側面は非球面形状を有し、光軸との交点以外の位置に変曲点を有し、以下の条件式を満足することを特徴とする。
Ｌ／２Ｙ＜１．１      ・・・（１０）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
ここで、像側焦点とは撮像レンズに光軸と平行な平行光線が入射した場合の像点をいう。
【００１６】
請求項１に記載の発明によれば、５枚構成のうち３枚を負レンズとすることで、発散作用を有する面を多くしてペッツバール和の補正を容易とすることができ、画面周辺部まで良好な結像性能を確保した撮像レンズを得ることが可能となる。
【００１７】
また、最も像側に配置された第５レンズの像側面を非球面とすることで、画面周辺部での諸収差を良好に補正することができる。さらに、光軸との交点以外の位置に変曲点を有する非球面形状とすることで、像側光束のテレセントリック特性が確保しやすくなる。
【００１８】
また、第１レンズ〜第４レンズの合成で正の屈折力を形成し、第５レンズが負の屈折力を有することで、いわゆるテレフォトタイプのレンズ構成とでき、撮像レンズ全長の小型化に有利な構成とすることができる。
【００１９】
なお、ここでいう「変曲点」とは有効半径内でのレンズ断面形状の曲線において、非球面頂点の接平面が光軸と垂直な平面となるような非球面上の点のことである。
【００２０】
請求項２に記載の撮像レンズは、請求項１に記載の発明において、以下の条件式を満足することを特徴とする。
【００２１】
０．９＜ｆ１２／ｆ≦１．３７５          ・・・（１）
ただし、
ｆ１２：第１レンズと第２レンズの合成焦点距離
ｆ：撮像レンズ全系の焦点距離
条件式（１）は、第１レンズと第２レンズの合成焦点距離を適切に設定するための条件式である。
【００２２】
条件式（１）の上限を下回ることで、第１レンズと第２レンズの正の合成焦点距離を適度に維持することができるため、全系の主点位置をより物体側に配置することができ、撮像レンズ全長を短くすることができる。一方、下限を上回ることで、第１レンズと第２レンズの正の合成焦点距離が必要以上に小さくなりすぎず、第１レンズや第２レンズで発生する高次の球面収差やコマ収差を小さく抑えることができ、第１レンズ、第２レンズ個々の屈折力を適度に抑えることによって、製造誤差に対する像面変動を小さくすることができる。
【００２３】
請求項３に記載の撮像レンズは、請求項１又は２に記載の発明において、以下の条件式を満足することを特徴とする。
【００２４】
−２．５＜ｆ２／ｆ＜−１．０            ・・・（２）
ただし、
ｆ２：第２レンズの焦点距離
ｆ：撮像レンズ全系の焦点距離
条件式（２）は、第２レンズの焦点距離を適切に設定するための条件式である。条件式（２）の上限を下回ることで、第２レンズの負の屈折力が必要以上に強くなりすぎず、周辺部でのコマ収差や歪曲収差を小さくすることができる。一方、下限を上回ることで、第２レンズの負の屈折力を適度に維持することができ、ペッツバール和の低減や像面湾曲の補正に効果がある。
【００２５】
また、以下の条件式を満たすことが、より望ましい。
【００２６】
−２．４＜ｆ２／ｆ＜−１．０              ・・・（２）'
また、以下の条件式（３）を満たすことが望ましい。
０．３＜ｒ４／ｆ＜０．７              ・・・（３）
ただし、
ｒ４：第２レンズ像側面の曲率半径
ｆ：撮像レンズ全系の焦点距離
条件式（３）は、第２レンズの像側面の曲率半径を適切に設定するための条件式である。条件式（３）の上限を下回ることで、第２レンズの主点位置が像側に移動するので、第２レンズの焦点距離を必要以上に大きくせずに、ペッツバール和の低減や像面湾曲の補正をすることができる。一方、下限を上回ることで、第２レンズの像側面の周辺の光線の入射角が小さくなり、コマ収差の発生を抑えることができる。
【００２７】
また、以下の条件式を満たすことが、より望ましい。
【００２８】
０．３５＜ｒ４／ｆ＜０．６５               ・・・（３）'
また、以下の条件式を満足することが望ましい。
【００２９】
２０＜ν１−ν２＜７０        ・・・（４）
ただし、
ν１：第１レンズのアッベ数
ν２：第２レンズのアッベ数
条件式（４）は、撮像レンズ全系の色収差を良好に補正するための条件式である。条件式（４）の下限を上回ることで、軸上色収差や倍率色収差などの色収差をバランス良く補正することができる。一方、上限を下回ることで、入手しやすい硝材で構成することができる。
【００３０】
また、以下の条件式を満たすことが、より望ましい。
【００３１】
２５＜ν１−ν２＜６５                      ・・・（４）'
また、以下の条件式を満足することが望ましい。
【００３２】
１．６０＜ｎ２＜２．１０                ・・・（５）
ただし、
ｎ２：第２レンズのｄ線に対する屈折率
条件式（５）は、撮像レンズ全系の色収差、像面湾曲を良好に補正するための条件式である。条件式（５）の値が下限を上回ることで、比較的分散の大きな第２レンズの屈折力を適度に維持することができ、色収差、像面湾曲を良好に補正することができる。一方、上限を下回ることで、入手しやすい硝材で構成することができる。
【００３３】
また、以下の条件式を満たすことが、より望ましい。
【００３４】
１．６０＜ｎ２＜２．００                  ・・・（５）'
請求項４に記載の撮像レンズは、請求項１乃至３のいずれかに記載の発明において、以下の条件式を満足することを特徴とする。
【００３５】
−２．３５＜Ｐａｉｒ２３／Ｐ＜−０．７５  ・・・（６）
ただし、
Ｐ：前記撮像レンズ全系の屈折力
Ｐａｉｒ２３：前記第２レンズの像側面（ｒ４）と前記第３レンズの物体側面（ｒ５）とにより形成されるいわゆる空気レンズの屈折力であり、また、屈折力とは焦点距離の逆数であり、上記Ｐａｉｒ２３は、下記の（７）式で求めることができる。
【００３６】
Ｐａｉｒ２３＝｛（１−ｎ２）／ｒ４｝＋｛（ｎ３−１）／ｒ５｝
−｛（１−ｎ２）・（ｎ３−１）・ｄ２３／（ｒ４・ｒ５）｝    ・・・（７）
ただし、
ｎ２：第２レンズのｄ線に対する屈折率
ｎ３：第３レンズのｄ線に対する屈折率
ｒ４：第２レンズ像側面の曲率半径
ｒ５：第３レンズ物体側面の曲率半径
ｄ２３：第２レンズと第３レンズの軸上の空気間隔
条件式（６）は、第２レンズの像側面と第３レンズの物体側面で形成される空気レンズの屈折力を適切に設定するための条件式である。条件式（６）の上限を下回ることで、空気レンズによる負の屈折力を適度に維持できるため、ペッツバール和が大きくなりすぎず、像面を平坦にすることができ、色収差も良好に補正することが出来る。一方、下限を上回ると空気レンズによる負の屈折力が強くなりすぎないので、第２レンズの像側面と第３レンズの物体側面の曲率半径が大きくでき、レンズの加工性がよくなる。さらに、軸外で第２レンズの像側面と第３レンズの物体側面が離れるので、軸上間隔を大きくしなくても第２レンズと第３レンズの間にゴースト等の不要光を防止するための遮光部材を挿入するためのスペースの確保が容易となる。
【００３７】
また、以下の条件式を満たすことが、より望ましい。
【００３８】
−２．２５＜Ｐａｉｒ２３／Ｐ＜−０．８５  ・・・（６）'
また、以下の条件式を満足することが望ましい。
【００３９】
１．５＜｜ｆ３｜／ｆ＜２０．０          ・・・（８）
０．２＜ｄ４５６／ｆ＜０．４            ・・・（９）
ただし、
ｆ３：第３レンズの焦点距離
ｄ４５６：第２レンズ像側面と第４レンズ物体側面の軸上の間隔
ｆ：撮像レンズ全系の焦点距離
条件式（８）は、第３レンズの焦点距離を適切に設定するための条件式である。第３レンズは従来の４枚構成のレンズにおける第２レンズと第３レンズの間に配置した屈折力の小さな像面補正用のレンズであり、条件式（８）の上限を下回ることで、４枚構成のレンズに比べ効果的に像面補正を行うことが出来る。一方、下限を上回ることで、第３レンズの屈折力の増大による全系の焦点距離の変化を抑えることができる。
【００４０】
また、条件式（９）は、第２レンズと第４レンズの間隔を適切に設定するための条件式である。条件式（９）の下限を上回ることで、像面補正用の第３レンズを配置するための適切な間隔を保つことが出来る。一方、上限を下回ることで、負の屈折力を持つ第２レンズと正の屈折力を持つ第４レンズとの間隔が大きくなることによる全長の増大を抑えることができる。
【００４１】
請求項５に記載の撮像レンズは、請求項１乃至４のいずれかに記載の発明において、前記第３レンズの物体側面は非球面形状を有し、周辺に向かうに従い前記第２レンズ側へ湾曲していくような形状となっていることを特徴とする。
【００４２】
第３レンズの物体側面を周辺に向かうに従い第２レンズ側へ湾曲していくような非球面形状とすることで、第２レンズと第３レンズが空気間隔を介して対称的な形状となり、第２レンズ及び第３レンズで発生するコマ収差を良好に補正することができる。また、撮像レンズ全系の倍率色収差や歪曲収差を補正しやすい構成となる。
【００４３】
請求項６に記載の撮像レンズは、請求項１乃至５のいずれかに記載の発明において、前記第２レンズの像側面は非球面形状を有し、光軸から周辺に離れるに従って負の屈折力が弱くなる形状を持つことを特徴とする。
【００４４】
第２レンズの像側面を中心から周辺に行くに従って負の屈折力が弱くなるような非球面形状とすることで、周辺部で光線が過度に跳ね上げられることがなくなり、周辺部での良好なテレセントリック特性を確保できる。
【００４５】
請求項７に記載の撮像レンズは、請求項１乃至６のいずれかに記載の発明において、前記第４レンズの像側面は非球面形状を有し、光軸から周辺に離れるに従って正の屈折力が弱くなる形状を持つことを特徴とする。
【００４６】
第４レンズの像側面を中心から周辺に行くに従って正の屈折力が弱くなるような非球面形状とすることで、周辺部での良好なテレセントリック特性を確保できる。また、第２レンズの像側面は、レンズ周辺部で過度に負の屈折力を弱くする必要がなくなり、軸外収差を良好に補正することが可能となる。
【００４７】
請求項８に記載の撮像レンズは、請求項１乃至７のいずれかに記載の発明において、前記撮像レンズは開口絞りを有し、前記開口絞りは前記第１レンズの物体側面の光軸上の位置より像側であって、前記第１レンズの物体側面の最周辺部より物体側に配置したことを特徴とする。
【００４８】
開口絞りを第１レンズの物体側面の光軸上の位置より後方であって、周辺部より前方に配置することで、第１レンズの物体側面での屈折角を小さくすることができるので、第１レンズで発生する高次の球面収差やコマ収差の発生を抑えることができる。また、第１レンズを通過する光線高さを小さくすることができるので、第１レンズの縁厚を確保しやすくすることができ、成形性を向上させることが可能となる。
【００４９】
請求項９に記載の撮像レンズは、請求項１乃至８のいずれかに記載の発明において、前記第１レンズ乃至第５レンズの全てがプラスチック材料で形成されていることを特徴とする。
【００５０】
近年では、固体撮像装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的に短くする必要があるため、各レンズの曲率半径や外径がかなり小さくなってしまう。従って、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズは金型の温度を低くできることから、成形金型の損耗を抑える事ができ、その結果、成形金型の交換回数やメンテナンス回数を減少させ、コスト低減を図ることができる。
【００５１】
請求項１０に記載の撮像装置は、被写体像を光電変換する固体撮像素子と、請求項１乃至９のいずれかに記載の撮像レンズを備えたことを特徴とする。これにより、高画質の良好な撮影画像の得られる撮像装置を得ることができる。
【００５２】
請求項１１に記載の携帯端末は、請求項１０に記載の撮像装置を備えたことを特徴とする。これにより、高画質の良好な撮影画像の得られる撮像装置を備えた携帯端末を得ることができる。
【発明の効果】
【００５３】
本発明によれば、Ｆ２程度の十分な明るさを有し、諸収差が良好に補正された、５枚構成の小型の撮像レンズを提供することが可能となり、高画質の良好な撮影画像の得られる撮像装置並びに携帯端末を得ることが可能となる。
【図面の簡単な説明】
【００５４】
【図１】本実施の形態に係る撮像装置の一例を示す断面図である。
【図２】本実施の形態に係る撮像装置を備えた携帯端末の一例である携帯電話機の外観図である。
【図３】携帯電話機の制御ブロック図の一例である。
【図４】実施例１の撮像レンズの断面図である。
【図５】実施例１の撮像レンズの収差図（球面収差、非点収差、歪曲収差、メリディオナルコマ収差）である。
【図６】実施例２の撮像レンズの断面図である。
【図７】実施例２の撮像レンズの収差図（球面収差、非点収差、歪曲収差、メリディオナルコマ収差）である。
【図８】実施例３の撮像レンズの断面図である。
【図９】実施例３の撮像レンズの収差図（球面収差、非点収差、歪曲収差、メリディオナルコマ収差）である。
【図１０】実施例４の撮像レンズの断面図である。
【図１１】実施例４の撮像レンズの収差図（球面収差、非点収差、歪曲収差、メリディオナルコマ収差）である。
【図１２】実施例５の撮像レンズの断面図である。
【図１３】実施例５の撮像レンズの収差図（球面収差、非点収差、歪曲収差、メリディオナルコマ収差）である。
【図１４】実施例６の撮像レンズの断面図である。
【図１５】実施例６の撮像レンズの収差図（球面収差、非点収差、歪曲収差、メリディオナルコマ収差）である。
【図１６】実施例７の撮像レンズの断面図である。
【図１７】実施例７の撮像レンズの収差図（球面収差、非点収差、歪曲収差、メリディオナルコマ収差）である。
【図１８】実施例８の撮像レンズの断面図である。
【図１９】実施例８の撮像レンズの収差図（球面収差、非点収差、歪曲収差、メリディオナルコマ収差）である。
【図２０】実施例９の撮像レンズの断面図である。
【図２１】実施例９の撮像レンズの収差図（球面収差、非点収差、歪曲収差、メリディオナルコマ収差）である。
【図２２】実施例１０の撮像レンズの断面図である。
【図２３】実施例１０の撮像レンズの収差図（球面収差、非点収差、歪曲収差、メリディオナルコマ収差）である。
【図２４】実施例１１の撮像レンズの断面図である。
【図２５】実施例１１の撮像レンズの収差図（球面収差、非点収差、歪曲収差、メリディオナルコマ収差）である。
【図２６】実施例１２の撮像レンズの断面図である。
【図２７】実施例１２の撮像レンズの収差図（球面収差、非点収差、歪曲収差、メリディオナルコマ収差）である。
【図２８】実施例１３の撮像レンズの断面図である。
【図２９】実施例１３の撮像レンズの収差図（球面収差、非点収差、歪曲収差、メリディオナルコマ収差）である。
【発明を実施するための形態】
【００５５】
以下、実施の形態により本発明を詳しく説明するが、本発明はこれに限定されるものではない。
【００５６】
図１は、本実施の形態に係る撮像装置５０の一例を示す断面図である。同図は撮像レンズの光軸に沿った断面を模式的に示している。
【００５７】
同図に示すように、撮像装置５０は光電変換部５１ａを有する固体撮像素子としてのＣＭＯＳ型撮像素子５１と、この撮像素子５１の光電変換部５１ａに被写体像を結像させる撮像レンズ１０と、物体側からの光入射用の開口部を有する遮光部材からなる鏡筒としての筐体５３と、撮像素子５１を保持する支持基板５２ａと、その電気信号の送受を行う外部接続用端子を有するフレキシブルプリント基板５２ｂとを備え、これらが一体的に形成されている。
【００５８】
撮像素子５１はその受光側の面の中央部に画素（光電変換素子）が２次元的に配置された、受光部としての光電変換部５１ａが形成され、その周囲には信号処理回路５１ｂが形成されている。この信号処理回路５１ｂは、各画素を順次駆動し信号電荷を得る駆動回路部と、各信号電荷をデジタル信号に変換するＡ／Ｄ変換部と、このデジタル信号を用い画像信号出力を形成する信号処理部等から構成されている。
【００５９】
撮像素子５１の受光側の面の外縁近傍には、不図示の多数のパッドが設けられており、ボンディングワイヤＷを介して支持基板５２ａに接続されている。撮像素子５１は、光電変換部５１ａからの信号電荷をデジタルＹＵＶ信号等の画像信号に変換し、ボンディングワイヤＷを介して支持基板５２ａ上の所定の回路に出力する。Ｙは輝度信号、Ｕ（＝Ｒ−Ｙ）は赤と輝度信号との色差信号、Ｖ（＝Ｂ−Ｙ）は青と輝度信号との色差信号である。
【００６０】
なお、撮像素子は、上述のＣＭＯＳ型のイメージセンサに限るものでなく、ＣＣＤ等の他のものを適用したものでもよい。
【００６１】
基板５２は、その一方の面で撮像素子５１と筐体５３を支持する硬質の支持基板５２ａと支持基板５２ａの他方の面（撮像素子５１と反対側の面）にその一端部が接続されたフレキシブルプリント基板５２ｂとで構成されている。支持基板５２ａは、表裏両面に多数の信号伝達用パッドが設けられており、一方の面でボンディングワイヤＷを介して撮像素子５１と接続され、他方の面でフレキシブルプリント基板５２ｂと接続されている。
【００６２】
フレキシブルプリント基板５２ｂは、支持基板５２ａと不図示の外部回路（例えば、撮像装置を実装した上位装置が有する制御回路）とを接続し、外部回路から撮像素子５１を駆動するための電圧やクロック信号の供給を受けたり、また、デジタルＹＵＶ信号を外部回路へ出力したりすることを可能としている。
【００６３】
筐体５３は、支持基板５２ａの撮像素子５１側の面に撮像素子５１を覆うように固定配置されている。即ち、筐体５３は、撮像素子５１側は撮像素子５１を囲むように広く開口されて支持基板５２ａに当接固定され、他端部が小開口を有するフランジ付きの筒状に形成されている。
【００６４】
筐体５３の内部には、撮像レンズ１０と撮像素子５１との間に赤外光カット機能を有する平行平板Ｆが固定配置されている。
【００６５】
Ｓは開口絞り、Ｌ１は第１レンズ、Ｌ２は第２レンズ、Ｌ３は第３レンズ、Ｌ４は第４レンズ、Ｌ５は第５レンズであり、撮像素子５１の光電変換部５１ａに対し、被写体像の結像を行うよう構成されている。なお、一点鎖線が各レンズＬ１〜Ｌ５の共通する光軸である。
【００６６】
撮像レンズ１０を構成する各レンズＬ１〜Ｌ５は、鏡枠５５に保持されている。筐体５３は、この鏡枠５５及び鏡枠５５に保持された撮像レンズ１０を内包し、鏡枠５５はその外周で筐体５３と嵌合され、筐体５３の小開口を有するフランジ部で突き当てられ位置決めされている。
【００６７】
更に、図示していないが、各レンズＬ１〜Ｌ５の間に、不要光をカットする固定絞りを配置してもよい。光線経路の外側に矩形の固定絞りを配置することで、ゴースト、フレアの発生を抑えることができる。
【００６８】
図２は、本実施の形態に係る撮像装置５０を備えた携帯端末の一例である携帯電話機１００の外観図である。
【００６９】
同図に示す携帯電話機１００は、表示画面Ｄ１及びＤ２を備えたケースとしての上筐体７１と、入力部である操作ボタン６０を備えた下筐体７２とがヒンジ７３を介して連結されている。撮像装置５０は、上筐体７１内の表示画面Ｄ２の下方に内蔵されており、撮像装置５０が上筐体７１の外表面側から光を取り込めるよう配置されている。
【００７０】
なお、この撮像装置の位置は上筐体７１内の表示画面Ｄ２の上方や側面に配置してもよい。また携帯電話機は折りたたみ式に限るものではないのは、勿論である。
【００７１】
図３は、携帯電話機１００の制御ブロック図の一例である。
【００７２】
同図に示すように、撮像装置５０は、フレキシブルプリント基板５２ｂを介し、携帯電話機１００の制御部１０１と接続され、輝度信号や色差信号等の画像信号を制御部１０１へ出力する。
【００７３】
一方、携帯電話機１００は、各部を統括的に制御すると共に、各処理に応じたプログラムを実行する制御部（ＣＰＵ）１０１と、番号等を指示入力するための入力部である操作ボタン６０と、所定のデータ表示や撮像した画像を表示する表示画面Ｄ１、Ｄ２と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１により実行される各種処理プログラムやデータ、若しくは処理データ、撮像装置５０による画像データ等を一時的に格納したり、作業領域として用いられる一時記憶部（ＲＡＭ）９２を備えている。
【００７４】
また、撮像装置５０から入力された画像信号は、携帯電話機１００の制御部１０１により、不揮発性記憶部（フラッシュメモリ）９３に記憶されたり、或いは表示画面Ｄ１、Ｄ２に表示されたり、更には、無線通信部８０を介し画像情報として外部へ送信されるようになっている。なお、不図示であるが携帯電話機１００には、音声を入出力するマイク及びスピーカ等を有している。
【実施例】
【００７５】
以下に、本発明の撮像レンズの実施例を示す。各実施例に使用する記号は下記の通りである。
【００７６】
ｆ    ：撮像レンズ全系の焦点距離
ｆＢ  ：バックフォーカス
Ｆ    ：Ｆナンバー
２Ｙ  ：固体撮像素子の撮像面対角線長
ＥＮＴＰ：入射瞳位置（第１面から入射瞳位置までの距離）
ＥＸＴＰ：射出瞳位置（撮像面から射出瞳位置までの距離）
Ｈ１  ：前側主点位置（第１面から前側主点位置までの距離）
Ｈ２  ：後側主点位置（最終面から後側主点位置までの距離）
ｒ    ：曲率半径
ｄ    ：軸上面間隔
Ｎｄ  ：レンズ材料のｄ線に対する屈折率
νｄ  ：レンズ材料のアッベ数
また各実施例において、各面番号の後に「＊」が記載されている面が非球面形状を有する面である。
【００７７】
非球面の形状は、面の頂点を原点とし、光軸方向にＸ軸をとり、光軸と垂直方向の高さをｈとして以下の（数１）で表す。
【００７８】
【数１】
0005435072.tif 000002
【００７９】
なお、非球面係数において、１０のべき乗数（例えば、２．５×１０−０２）をＥ（例えば、２．５Ｅ−０２）を用いて表すものとする。
【００８０】
（実施例１）
実施例１の撮像レンズの全体諸元を以下に示す。
ｆ＝５．６５ｍｍ
ｆＢ＝０．７９ｍｍ
Ｆ＝２．０６
２Ｙ＝７．１４０ｍｍ
ＥＮＴＰ＝０．００ｍｍ
ＥＸＴＰ＝−３．５２ｍｍ
Ｈ１＝−１．７６ｍｍ
Ｈ２＝−４．８６ｍｍ
実施例１の撮像レンズの面データを以下に示す。
面番号        ｒ(mm)      ｄ(mm)      Ｎｄ      νｄ    有効半径(mm)
１（絞り）    ∞        -0.40                            1.37
２＊         2.215       1.03      1.54470    56.2       1.44
３＊      -586.653       0.05                            1.40
４＊         4.656       0.40      1.63200    23.4       1.38
５＊         2.296       0.88                            1.32
６＊        -8.258       0.52      1.63200    23.4       1.41
７＊       -14.435       0.10                            1.78
８＊        -7.418       1.48      1.54470    56.2       2.11
９＊        -1.387       0.41                            2.39
10＊       -10.485       0.50      1.54470    56.2       2.73
11＊         1.790       0.60                            3.15
12            ∞         0.15      1.51630    64.1       3.45
13            ∞                                         3.48
非球面係数を以下に示す。
第２面
K=0.21857E+00,A4=0.29339E-03,A6=0.47203E-03,A8=-0.12988E-02,
A10=0.10888E-02,A12=-0.34643E-03,A14=0.34629E-04,A16=0.40700E-06
第３面
K=0.30000E+02,A4=0.58273E-02,A6=0.18979E-02,A8=0.75933E-03,
A10=-0.13931E-03,A12=-0.46432E-03,A14=0.57197E-04,A16=-0.20970E-05
第４面
K=0.63662E+01,A4=-0.40425E-01,A6=0.17426E-01,A8=-0.72085E-02,
A10=0.29070E-02,A12=-0.11301E-02,A14=-0.64825E-04
第５面
K=-0.42466E+01,A4=0.33662E-02,A6=0.17440E-01,A8=-0.91768E-02,
A10=0.71040E-02,A12=-0.14212E-02,A14=0.11035E-04
第６面
K=0.32082E+02,A4=-0.48243E-01,A6=-0.10597E-01,A8=0.53627E-02,
A10=0.30361E-03,A12=0.77117E-03,A14=0.76282E-04
第７面
K=0.30000E+02,A4=-0.31204E-01,A6=0.35199E-03,A8=0.36759E-03,
A10=0.75107E-03,A12=0.11709E-03,A14=-0.63981E-04
第８面
K=0.19894E+01,A4=0.76139E-02,A6=0.30431E-02,A8=0.43518E-04,
A10=-0.11382E-03,A12=-0.65140E-05,A14=0.19280E-05
第９面
K=-0.39657E+01,A4=-0.42077E-01,A6=0.15382E-01,A8=-0.27107E-02,
A10=0.34375E-03,A12=-0.13909E-04,A14=-0.13610E-05
第１０面
K=0.61559E+01,A4=-0.43651E-01,A6=0.98617E-02,A8=-0.50206E-03,
A10=-0.19419E-03,A12=0.38080E-04,A14=-0.20420E-05
第１１面
K=-0.96030E+01,A4=-0.37012E-01,A6=0.71814E-02,A8=-0.10214E-02,
A10=0.83677E-04,A12=-0.41810E-05,A14=0.10400E-06
実施例１の撮像レンズの単レンズデータを以下に示す。
レンズ    始面    焦点距離(mm)
１       2          4.053
２       4         -7.672
３       6        -31.566
４       8          2.882
５      10         -2.768
実施例１の撮像レンズの条件式（１）〜（６），（８）〜（１０）に対応する値を以下に示す。
（１）ｆ１２／ｆ＝１．１３４
（２）ｆ２／ｆ＝−１．３５７
（３）ｒ４／ｆ＝０．４０６
（４）ν１−ν２＝３２．６
（５）ｎ２＝１．６３２
（６）Ｐａｉｒ２３／Ｐ＝−２．０９３
（８）｜ｆ３｜／ｆ＝５．５８３
（９）ｄ４５６／ｆ＝０．２６５
（１０）Ｌ／２Ｙ＝０．９６１
実施例１において、全てのレンズはプラスチック材料から形成されている。
【００８１】
図４は、実施例１の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図５は、実施例１の撮像レンズの収差図（球面収差、非点収差、歪曲収差、メリディオナルコマ収差）である。
【００８２】
（実施例２）
実施例２の撮像レンズの全体諸元を以下に示す。
ｆ＝５．７３ｍｍ
ｆＢ＝０．３６ｍｍ
Ｆ＝２．０６
２Ｙ＝７．１４０ｍｍ
ＥＮＴＰ＝０．００ｍｍ
ＥＸＴＰ＝−３．３６ｍｍ
Ｈ１＝−３．０８ｍｍ
Ｈ２＝−５．３６ｍｍ
実施例２の撮像レンズの面データを以下に示す。
面番号        ｒ(mm)      ｄ(mm)      Ｎｄ      νｄ    有効半径(mm)
１（絞り）    ∞        -0.39                            1.39
２＊         2.310       1.04      1.54470    56.2       1.45
３＊       -21.818       0.05                            1.42
４＊         7.361       0.40      1.63200    23.4       1.40
５＊         2.718       0.74                            1.37
６＊        -8.295       0.89      1.54470    56.0       1.47
７＊       -10.387       0.09                            1.81
８＊       -15.009       1.19      1.54470    56.2       1.87
９＊        -2.234       0.90                            2.21
10＊        -4.038       0.51      1.54470    56.2       2.64
11＊         3.829       0.60                            3.14
12            ∞         0.15      1.51630    64.1       3.55
13            ∞                                         3.58
非球面係数を以下に示す。
第２面
K=0.21872E+00,A4=-0.43653E-03,A6=0.16254E-02,A8=-0.19526E-02,
A10=0.12106E-02,A12=-0.25985E-03,A14=0.13192E-04
第３面
K=-0.30000E+02,A4=0.16876E-01,A6=-0.16928E-02,A8=0.14951E-03,
A10=-0.28576E-04,A12=-0.23762E-03,A14=-0.62790E-05
第４面
K=0.14738E+02,A4=-0.16775E-01,A6=0.13255E-01,A8=-0.80227E-02,
A10=0.28381E-02,A12=-0.13054E-02,A14=0.91730E-04
第５面
K=-0.36991E+01,A4=0.16472E-02,A6=0.20755E-01,A8=-0.80020E-02,
A10=0.49320E-02,A12=-0.20503E-02,A14=0.33114E-03
第６面
K=0.28805E+02,A4=-0.11426E-01,A6=-0.13054E-02,A8=0.52349E-02,
A10=-0.10253E-02,A12=-0.75642E-04,A14=0.13900E-03
第７面
K=0.30000E+02,A4=-0.95828E-02,A6=-0.10667E-02,A8=-0.17348E-03,
A10=-0.32525E-04,A12=-0.56450E-05,A14=-0.69500E-06
第８面
K=0.30000E+02,A4=-0.31257E-02,A6=-0.98037E-03,A8=-0.12892E-03,
A10=-0.19314E-04,A12=-0.64080E-05,A14=-0.28790E-05
第９面
K=-0.57350E+01,A4=-0.35001E-01,A6=0.12792E-01,A8=-0.26529E-02,
A10=0.42193E-03,A12=-0.62270E-05,A14=-0.31110E-05
第１０面
K=0.49387E+00,A4=-0.42585E-01,A6=0.11271E-01,A8=-0.56345E-03,
A10=-0.19862E-03,A12=0.38293E-04,A14=-0.19550E-05
第１１面
K=-0.22116E+02,A4=-0.31591E-01,A6=0.59975E-02,A8=-0.88137E-03,
A10=0.81496E-04,A12=-0.47600E-05,A14=0.11100E-06
実施例２の撮像レンズの単レンズデータを以下に示す。
レンズ    始面    焦点距離(mm)
１       2          3.894
２       4         -7.056
３       6        -88.872
４       8          4.664
５      10         -3.528
実施例２の撮像レンズの条件式（１）〜（６），（８）〜（１０）に対応する値を以下に示す。
（１）ｆ１２／ｆ＝１．１３３
（２）ｆ２／ｆ＝−１．２３２
（３）ｒ４／ｆ＝０．４７５
（４）ν１−ν２＝３２．６
（５）ｎ２＝１．６３２
（６）Ｐａｉｒ２３／Ｐ＝−１．７７２
（８）｜ｆ３｜／ｆ＝１５．５１８
（９）ｄ４５６／ｆ＝０．２９８
（１０）Ｌ／２Ｙ＝０．９６１
実施例２において、全てのレンズはプラスチック材料から形成されている。
【００８３】
図６は、実施例２の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図７は、実施例２の撮像レンズの収差図（球面収差、非点収差、歪曲収差、メリディオナルコマ収差）である。
【００８４】
（実施例３）
実施例３の撮像レンズの全体諸元を以下に示す。
ｆ＝５．６１ｍｍ
ｆＢ＝０．６６ｍｍ
Ｆ＝２．０６
２Ｙ＝７．１４０ｍｍ
ＥＮＴＰ＝０．００ｍｍ
ＥＸＴＰ＝−３．３３ｍｍ
Ｈ１＝−２．２９ｍｍ
Ｈ２＝−４．９６ｍｍ
実施例３の撮像レンズの面データを以下に示す。
面番号        ｒ(mm)      ｄ(mm)      Ｎｄ      νｄ    有効半径(mm)
１（絞り）    ∞        -0.38                            1.36
２＊         2.280       0.97      1.54470    56.2       1.42
３＊        60.204       0.05                            1.39
４＊         4.356       0.40      1.63200    23.4       1.39
５＊         2.389       0.82                            1.34
６＊        -8.520       0.39      1.63200    23.4       1.44
７＊       -14.691       0.09                            1.66
８＊       -23.903       1.75      1.54470    56.2       1.92
９＊        -1.695       0.44                            2.46
10＊        -8.586       0.60      1.54470    56.2       2.73
11＊         1.990       0.60                            3.16
12            ∞         0.15      1.51630    64.1       3.38
13            ∞                                         3.42
非球面係数を以下に示す。
第２面
K=0.22694E+00,A4=0.18590E-04,A6=0.11569E-02,A8=-0.13986E-02,
A10=0.10509E-02,A12=-0.33663E-03,A14=0.47668E-04,A16=0.13853E-04
第３面
K=0.30000E+02,A4=0.17132E-02,A6=0.43435E-02,A8=0.10139E-02,
A10=-0.10033E-03,A12=-0.40770E-03,A14=0.10269E-03,A16=0.51383E-04
第４面
K=0.60221E+01,A4=-0.39201E-01,A6=0.15832E-01,A8=-0.70161E-02,
A10=0.32874E-02,A12=-0.96583E-03,A14=-0.62578E-04
第５面
K=-0.32826E+01,A4=0.12941E-03,A6=0.15212E-01,A8=-0.76313E-02,
A10=0.74565E-02,A12=-0.15810E-02,A14=-0.15762E-03
第６面
K=0.32073E+02,A4=-0.40141E-01,A6=-0.46016E-02,A8=0.70656E-02,
A10=0.50951E-03,A12=0.52547E-03,A14=-0.96185E-04
第７面
K=0.10896E+02,A4=-0.34996E-01,A6=0.30209E-02,A8=0.79884E-03,
A10=0.78677E-03,A12=0.10670E-03,A14=-0.76501E-04
第８面
K=0.30000E+02,A4=0.47224E-02,A6=0.18239E-02,A8=-0.43199E-04,
A10=-0.12179E-03,A12=-0.68420E-05,A14=0.21960E-05
第９面
K=-0.50653E+01,A4=-0.32301E-01,A6=0.15164E-01,A8=-0.27777E-02,
A10=0.32857E-03,A12=-0.14988E-04,A14=-0.10960E-05
第１０面
K=-0.66386E+01,A4=-0.40847E-01,A6=0.10072E-01,A8=-0.47451E-03,
A10=-0.19241E-03,A12=0.37777E-04,A14=-0.21300E-05
第１１面
K=-0.90272E+01,A4=-0.30972E-01,A6=0.65030E-02,A8=-0.96594E-03,
A10=0.84387E-04,A12=-0.43170E-05,A14=0.10600E-06
実施例３の撮像レンズの単レンズデータを以下に示す。
レンズ    始面    焦点距離(mm)
１       2          4.325
２       4         -9.084
３       6        -32.898
４       8          3.259
５      10         -2.908
実施例３の撮像レンズの条件式（１）〜（６），（８）〜（１０）に対応する値を以下に示す。
（１）ｆ１２／ｆ＝１．１５８
（２）ｆ２／ｆ＝−１．６１９
（３）ｒ４／ｆ＝０．４２６
（４）ν１−ν２＝３２．６
（５）ｎ２＝１．６３２
（６）Ｐａｉｒ２３／Ｐ＝−１．９９１
（８）｜ｆ３｜／ｆ＝５．８６２
（９）ｄ４５６／ｆ＝０．２３１
（１０）Ｌ／２Ｙ＝０．９６１
実施例３において、全てのレンズはプラスチック材料から形成されている。
【００８５】
図８は、実施例３の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図９は、実施例３の撮像レンズの収差図（球面収差、非点収差、歪曲収差、メリディオナルコマ収差）である。
【００８６】
（実施例４）
実施例４の撮像レンズの全体諸元を以下に示す。なお、実施例４は本発明に属さない。
ｆ＝５．６１ｍｍ
ｆＢ＝０．３６ｍｍ
Ｆ＝２．０６
２Ｙ＝７．１４０ｍｍ
ＥＮＴＰ＝０．００ｍｍ
ＥＸＴＰ＝−３．３８ｍｍ
Ｈ１＝−２．８０ｍｍ
Ｈ２＝−５．２５ｍｍ
実施例４の撮像レンズの面データを以下に示す。
面番号        ｒ(mm)      ｄ(mm)      Ｎｄ      νｄ    有効半径(mm)
１（絞り）    ∞        -0.33                            1.36
２＊         2.554       1.03      1.54470    56.2       1.43
３＊       -29.139       0.06                            1.40
４＊         4.187       0.40      1.63200    23.4       1.43
５＊         2.024       0.80                            1.45
６＊        -9.133       0.76      1.54470    56.2       1.56
７＊        -3.158       0.51                            1.78
８＊        -3.098       0.83      1.54470    56.2       2.24
９＊        -1.858       0.90                            2.41
10＊       -14.682       0.50      1.54470    56.2       2.80
11＊         2.213       0.60                            3.22
12            ∞         0.15      1.51630    64.1       3.53
13            ∞                                         3.57
非球面係数を以下に示す。
第２面
K=0.29377E+00,A4=0.15368E-02,A6=0.24805E-02,A8=-0.17788E-02,
A10=0.11217E-02,A12=-0.24895E-03,A14=0.62224E-04
第３面
K=-0.30000E+02,A4=0.16680E-01,A6=-0.14116E-02,A8=0.17823E-02,
A10=0.45256E-04,A12=-0.32581E-03,A14=0.31983E-03
第４面
K=-0.25530E+01,A4=-0.36923E-01,A6=0.15093E-01,A8=-0.76225E-02,
A10=0.35689E-02,A12=-0.82534E-03,A14=0.90528E-04
第５面
K=-0.35968E+01,A4=-0.79084E-02,A6=0.12894E-01,A8=-0.82870E-02,
A10=0.55697E-02,A12=-0.18973E-02,A14=0.26203E-03
第６面
K=0.29911E+02,A4=-0.91254E-02,A6=-0.70032E-02,A8=0.38774E-02,
A10=-0.62823E-03,A12=0.13750E-03,A14=0.82812E-04
第７面
K=-0.82136E+01,A4=-0.21808E-01,A6=-0.99771E-03,A8=0.13069E-04,
A10=0.70065E-04,A12=0.32811E-04,A14=0.10138E-04
第８面
K=-0.10688E+02,A4=0.23875E-02,A6=0.78342E-03,A8=0.20442E-03,
A10=0.15400E-04,A12=-0.23940E-05,A14=-0.11160E-05
第９面
K=-0.53403E+01,A4=-0.29088E-01,A6=0.13318E-01,A8=-0.27984E-02,
A10=0.39290E-03,A12=-0.76800E-05,A14=-0.23880E-05
第１０面
K=0.11262E+02,A4=-0.52401E-01,A6=0.10923E-01,A8=-0.55106E-03,
A10=-0.19886E-03,A12=0.38280E-04,A14=-0.19510E-05
第１１面
K=-0.97709E+01,A4=-0.31957E-01,A6=0.61905E-02,A8=-0.91975E-03,
A10=0.81571E-04,A12=-0.45010E-05,A14=0.12400E-06
実施例４の撮像レンズの単レンズデータを以下に示す。
レンズ    始面    焦点距離(mm)
１       2          4.361
２       4         -6.680
３       6          8.479
４       8          6.891
５      10         -3.495
実施例４の撮像レンズの条件式（１）〜（６），（８）〜（１０）に対応する値を以下に示す。
（１）ｆ１２／ｆ＝１．４７７
（２）ｆ２／ｆ＝−１．１９０
（３）ｒ４／ｆ＝０．３６１
（４）ν１−ν２＝３２．６
（５）ｎ２＝１．６３２
（６）Ｐａｉｒ２３／Ｐ＝−２．１７１
（８）｜ｆ３｜／ｆ＝１．５１０
（９）ｄ４５６／ｆ＝０．３７０
（１０）Ｌ／２Ｙ＝０．９６０
実施例４において、全てのレンズはプラスチック材料から形成されている。
【００８７】
図１０は、実施例４の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１１は、実施例４の撮像レンズの収差図（球面収差、非点収差、歪曲収差、メリディオナルコマ収差）である。
【００８８】
（実施例５）
実施例５の撮像レンズの全体諸元を以下に示す。なお、実施例５は本発明に属さない。
ｆ＝５．７７ｍｍ
ｆＢ＝０．２３ｍｍ
Ｆ＝２．０６
２Ｙ＝７．１４０ｍｍ
ＥＮＴＰ＝０．００ｍｍ
ＥＸＴＰ＝−３．４１ｍｍ
Ｈ１＝−３．３８ｍｍ
Ｈ２＝−５．５４ｍｍ
実施例５の撮像レンズの面データを以下に示す。
面番号        ｒ(mm)      ｄ(mm)      Ｎｄ      νｄ    有効半径(mm)
１（絞り）    ∞        -0.43                            1.40
２＊         2.329       0.99      1.49700    81.0       1.40
３＊        37.946       0.20                            1.39
４＊         3.101       0.40      1.63200    23.4       1.43
５＊         2.061       0.87                            1.41
６＊        -9.283       0.50      1.54470    56.2       1.58
７＊        21.886       0.23                            1.86
８＊         6.108       1.43      1.54470    56.2       2.26
９＊        -2.523       0.80                            2.53
10＊        -2.857       0.50      1.54470    56.2       2.79
11＊         5.044       0.60                            3.22
12            ∞         0.15      1.51630    64.1       3.60
13            ∞                                         3.64
非球面係数を以下に示す。
第２面
K=0.20251E+00,A4=-0.79646E-03,A6=0.18757E-02,A8=-0.17493E-02,
A10=0.12709E-02,A12=-0.31631E-03,A14=0.91500E-05,A16=0.16924E-04
第３面
K=0.30000E+02,A4=-0.50808E-02,A6=0.11253E-01,A8=-0.38116E-02,
A10=0.94986E-03,A12=0.30224E-04,A14=-0.12530E-03,A16=0.64213E-04
第４面
K=0.16136E+01,A4=-0.49199E-01,A6=0.19614E-01,A8=-0.87208E-02,
A10=0.23983E-02,A12=-0.62276E-03,A14=0.25973E-04
第５面
K=-0.30823E+01,A4=0.71074E-03,A6=0.13793E-01,A8=-0.72002E-02,
A10=0.63443E-02,A12=-0.26787E-02,A14=0.42393E-03,
第６面
K=0.30000E+02,A4=-0.43396E-01,A6=0.23275E-02,A8=0.26839E-02,
A10=0.86392E-03,A12=0.69765E-03,A14=-0.24180E-03
第７面
K=-0.30000E+02,A4=-0.74959E-01,A6=0.10109E-01,A8=-0.26199E-03,
A10=0.73873E-03,A12=0.21845E-03,A14=-0.85434E-04
第８面
K=-0.18613E+01,A4=-0.33465E-01,A6=0.85736E-04,A8=0.14325E-02,
A10=-0.70444E-04,A12=-0.28393E-04,A14=0.23740E-05
第９面
K=-0.70987E+01,A4=-0.27789E-01,A6=0.89909E-02,A8=-0.25339E-02,
A10=0.37953E-03,A12=-0.12827E-04,A14=-0.99000E-06
第１０面
K=-0.18307E+01,A4=-0.36272E-01,A6=0.90771E-02,A8=-0.43830E-03,
A10=-0.19921E-03,A12=0.37408E-04,A14=-0.18940E-05
第１１面
K=-0.30000E+02,A4=-0.30376E-01,A6=0.54714E-02,A8=-0.85228E-03,
A10=0.85435E-04,A12=-0.55890E-05,A14=0.17600E-06
実施例５の撮像レンズの単レンズデータを以下に示す。
レンズ    始面    焦点距離(mm)
１       2          4.947
２       4        -11.426
３       6        -11.900
４       8          3.482
５      10         -3.276
実施例５の撮像レンズの条件式（１）〜（６），（８）〜（１０）に対応する値を以下に示す。
（１）ｆ１２／ｆ＝１．１９０
（２）ｆ２／ｆ＝−１．９８１
（３）ｒ４／ｆ＝０．３５７
（４）ν１−ν２＝５７．６
（５）ｎ２＝１．６３２
（６）Ｐａｉｒ２３／Ｐ＝−２．１９８
（８）｜ｆ３｜／ｆ＝２．０６３
（９）ｄ４５６／ｆ＝０．２７８
（１０）Ｌ／２Ｙ＝０．９６０
実施例５においては、第１レンズはガラスモールドレンズ、第２レンズから第５レンズはプラスチック材料から形成されている。
【００８９】
図１２は、実施例５の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１３は、実施例５の撮像レンズの収差図（球面収差、非点収差、歪曲収差、メリディオナルコマ収差）である。
【００９０】
（実施例６）
実施例６の撮像レンズの全体諸元を以下に示す。
ｆ＝４．９３ｍｍ
ｆＢ＝１．００ｍｍ
Ｆ＝２．０６
２Ｙ＝７．１４０ｍｍ
ＥＮＴＰ＝０．００ｍｍ
ＥＸＴＰ＝−３．７８ｍｍ
Ｈ１＝−０．１５ｍｍ
Ｈ２＝−３．９２ｍｍ
実施例６の撮像レンズの面データを以下に示す。
面番号        ｒ(mm)      ｄ(mm)      Ｎｄ      νｄ    有効半径(mm)
１（絞り）    ∞        -0.23                            1.19
２＊         2.665       0.85      1.54470    56.2       1.20
３＊       -58.565       0.05                            1.28
４＊         5.418       0.40      1.63200    23.4       1.31
５＊         3.021       0.66                            1.37
６＊        34.726       0.50      1.63200    23.4       1.35
７＊         7.516       0.11                            1.74
８＊        -8.533       1.71      1.54470    56.2       1.99
９＊        -1.181       0.22                            2.17
10＊         8.922       0.66      1.54470    56.2       2.71
11＊         1.215       0.60                            3.26
12            ∞         0.15      1.51630    64.1       3.48
13            ∞                                         3.50
非球面係数を以下に示す。
第２面
K=0.19361E+00,A4=-0.12007E-03,A6=0.10971E-02,A8=-0.21027E-02,
A10=0.10782E-02,A12=-0.32493E-03,A14=-0.18897E-04,A16=-0.17190E-04
第３面
K=0.19270E+02,A4=0.69555E-02,A6=0.15205E-02,A8=-0.39410E-02,
A10=-0.11630E-02,A12=-0.38025E-03,A14=0.45100E-03,A16=-0.15763E-04
第４面
K=0.80889E+01,A4=-0.31840E-01,A6=0.15405E-01,A8=-0.11624E-01,
A10=0.10547E-02,A12=-0.11480E-02,A14=0.60122E-03
第５面
K=-0.79886E+01,A4=-0.15359E-01,A6=0.71172E-02,A8=-0.12256E-01,
A10=0.43282E-02,A12=-0.25095E-02,A14=0.35186E-03
第６面
K=-0.30000E+02,A4=-0.86169E-01,A6=-0.13295E-01,A8=-0.26623E-02,
A10=-0.25559E-02,A12=0.51722E-03,A14=0.10940E-03
第７面
K=-0.30000E+02,A4=-0.39031E-01,A6=0.82630E-03,A8=0.27459E-03,
A10=0.46098E-03,A12=0.70396E-04,A14=-0.19480E-04
第８面
K=-0.29314E+02,A4=0.38879E-02,A6=0.34032E-02,A8=0.13683E-03,
A10=-0.13016E-03,A12=-0.12700E-04,A14=0.48110E-05
第９面
K=-0.33988E+01,A4=-0.50420E-01,A6=0.12125E-01,A8=-0.24328E-02,
A10=0.43971E-03,A12=-0.91800E-05,A14=-0.14760E-05
第１０面
K=-0.50566E+01,A4=-0.54533E-01,A6=0.93922E-02,A8=-0.49089E-03,
A10=-0.19221E-03,A12=0.37826E-04,A14=-0.19210E-05
第１１面
K=-0.54672E+01,A4=-0.33453E-01,A6=0.64837E-02,A8=-0.10105E-02,
A10=0.90814E-04,A12=-0.45890E-05,A14=0.10000E-06
実施例６の撮像レンズの単レンズデータを以下に示す。
レンズ    始面    焦点距離(mm)
１       2          4.703
２       4        -11.553
３       6        -15.287
４       8          2.326
５      10         -2.662
実施例６の撮像レンズの条件式（１）〜（６），（８）〜（１０）に対応する値を以下に示す。
（１）ｆ１２／ｆ＝１．３７５
（２）ｆ２／ｆ＝−２．３４５
（３）ｒ４／ｆ＝０．６１３
（４）ν１−ν２＝３２．６
（５）ｎ２＝１．６３２
（６）Ｐａｉｒ２３／Ｐ＝−０．９２９
（８）｜ｆ３｜／ｆ＝３．１０３
（９）ｄ４５６／ｆ＝０．２５８
（１０）Ｌ／２Ｙ＝０．９６１
実施例６において、全てのレンズはプラスチック材料から形成されている。
【００９１】
図１４は、実施例６の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１５は、実施例６の撮像レンズの収差図（球面収差、非点収差、歪曲収差、メリディオナルコマ収差）である。
【００９２】
（実施例７）
実施例７の撮像レンズの全体諸元を以下に示す。
ｆ＝５．６８ｍｍ
ｆＢ＝０．８１ｍｍ
Ｆ＝２．０６
２Ｙ＝７．１４０ｍｍ
ＥＮＴＰ＝０．８３ｍｍ
ＥＸＴＰ＝−３．４３ｍｍ
Ｈ１＝−１．１１ｍｍ
Ｈ２＝−４．８８ｍｍ
実施例７の撮像レンズの面データを以下に示す。
面番号        ｒ(mm)      ｄ(mm)      Ｎｄ      νｄ    有効半径(mm)
１＊         2.342       1.06      1.54470    56.2       1.56
２＊       -58.079       0.01                            1.22
３（絞り）    ∞         0.07                            1.22
４＊         4.677       0.39      1.63200    23.4       1.24
５＊         2.229       0.82                            1.26
６＊        -7.860       0.40      1.63200    23.4       1.33
７＊        -9.548       0.05                            1.64
８＊        -8.402       1.85      1.54470    56.2       2.03
９＊        -1.529       0.47                            2.44
10＊       -16.141       0.56      1.54470    56.2       2.71
11＊         1.875       0.60                            3.24
12            ∞         0.15      1.51630    64.1       3.56
13            ∞         0.81                            3.58
非球面係数を以下に示す。
第１面
K=0.23047E+00,A4=0.89763E-04,A6=0.17308E-02,A8=-0.16946E-02,
A10=0.10607E-02,A12=-0.31325E-03,A14=0.49546E-04,A16=-0.23560E-05
第２面
K=-0.29994E+02,A4=0.98771E-02,A6=0.11567E-02,A8=-0.91467E-03,
A10=0.21042E-03,A12=-0.13949E-03,A14=0.57385E-04,A16=-0.20970E-05
第４面
K=0.62552E+01,A4=-0.40944E-01,A6=0.16012E-01,A8=-0.90175E-02,
A10=0.25719E-02,A12=-0.30065E-03,A14=-0.64825E-04
第５面
K=-0.40017E+01,A4=-0.22330E-02,A6=0.12835E-01,A8=-0.94790E-02,
A10=0.52031E-02,A12=-0.11520E-02,A14=0.11035E-04
第６面
K=0.32000E+02,A4=-0.51804E-01,A6=-0.11134E-01,A8=0.26388E-02,
A10=-0.15859E-02,A12=0.41871E-03,A14=0.56801E-03
第７面
K=0.23502E+02,A4=-0.27913E-01,A6=-0.18212E-02,A8=-0.46301E-03,
A10=0.80285E-03,A12=0.20144E-03,A14=-0.36715E-04
第８面
K=-0.13644E+02,A4=0.10267E-01,A6=0.16826E-02,A8=-0.10129E-03,
A10=-0.78692E-04,A12=0.57750E-05,A14=-0.10490E-05
第９面
K=-0.40404E+01,A4=-0.39458E-01,A6=0.13630E-01,A8=-0.26403E-02,
A10=0.35834E-03,A12=-0.14324E-04,A14=-0.17910E-05
第１０面
K=-0.24851E+02,A4=-0.42443E-01,A6=0.95223E-02,A8=-0.53673E-03,
A10=-0.19538E-03,A12=0.37876E-04,A14=-0.20480E-05
第１１面
K=-0.80235E+01,A4=-0.31123E-01,A6=0.64172E-02,A8=-0.97433E-03,
A10=0.83458E-04,A12=-0.43540E-05,A14=0.11500E-06
実施例７の撮像レンズの単レンズデータを以下に示す。
レンズ    始面    焦点距離(mm)
１       1          4.159
２       4         -7.178
３       6        -77.440
４       8          3.134
５      10         -3.050
実施例７の撮像レンズの条件式（１）〜（６），（８）〜（１０）に対応する値を以下に示す。
（１）ｆ１２／ｆ＝１．２３７
（２）ｆ２／ｆ＝−１．２６３
（３）ｒ４／ｆ＝０．３９２
（４）ν１−ν２＝３２．６
（５）ｎ２＝１．６３２
（６）Ｐａｉｒ２３／Ｐ＝−２．１７５
（８）｜ｆ３｜／ｆ＝１３．６２５
（９）ｄ４５６／ｆ＝０．２２３
（１０）Ｌ／２Ｙ＝１．００５
実施例７において、全てのレンズはプラスチック材料から形成されている。
【００９３】
図１６は、実施例７の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１７は、実施例７の撮像レンズの収差図（球面収差、非点収差、歪曲収差、メリディオナルコマ収差）である。
【００９４】
（実施例８）
実施例８の撮像レンズの全体諸元を以下に示す。
ｆ＝５．６１ｍｍ
ｆＢ＝０．７０ｍｍ
Ｆ＝２．０６
２Ｙ＝７．１４０ｍｍ
ＥＮＴＰ＝０．００ｍｍ
ＥＸＴＰ＝−３．６０ｍｍ
Ｈ１＝−１．６９ｍｍ
Ｈ２＝−４．９０ｍｍ
実施例８の撮像レンズの面データを以下に示す。
面番号        ｒ(mm)      ｄ(mm)      Ｎｄ      νｄ    有効半径(mm)
１（絞り）    ∞        -0.30                            1.36
２＊         2.626       0.91      1.69350    53.2       1.38
３＊        31.430       0.10                            1.40
４＊         5.860       0.40      1.63200    23.4       1.39
５＊         2.534       0.78                            1.36
６＊        -8.265       0.50      1.63200    23.4       1.50
７＊       -12.646       0.35                            1.68
８＊       -49.423       1.46      1.54470    56.2       2.18
９＊        -1.777       0.45                            2.45
10＊        -9.688       0.50      1.54470    56.2       2.67
11＊         2.176       0.60                            3.11
12            ∞         0.15      1.51630    64.1       3.38
13            ∞                                         3.40
非球面係数を以下に示す。
第２面
K=0.15508E+00,A4=-0.87045E-03,A6=0.69963E-03,A8=-0.16953E-02,
A10=0.97778E-03,A12=-0.33620E-03,A14=0.36419E-04,A16=-0.61097E-05
第３面
K=0.24933E+02,A4=-0.23260E-02,A6=0.17948E-02,A8=-0.28039E-03,
A10=-0.38440E-03,A12=-0.36371E-03,A14=0.15315E-03,A16=-0.23132E-04
第４面
K=0.86801E+01,A4=-0.28104E-01,A6=0.17251E-01,A8=-0.76766E-02,
A10=0.27746E-02,A12=-0.11333E-02,A14=0.76469E-04
第５面
K=-0.36516E+01,A4=0.59919E-02,A6=0.18297E-01,A8=-0.87590E-02,
A10=0.67621E-02,A12=-0.14959E-02,A14=-0.18450E-03
第６面
K=0.24844E+02,A4=-0.32566E-01,A6=0.26232E-03,A8=0.57545E-02,
A10=0.53935E-03,A12=0.73479E-03,A14=-0.29141E-03
第７面
K=0.18273E+02,A4=-0.29240E-01,A6=0.49183E-02,A8=0.91335E-03,
A10=0.58095E-03,A12=0.80029E-04,A14=-0.55161E-04
第８面
K=0.25000E+02,A4=-0.13819E-02,A6=0.13979E-02,A8=0.18682E-03,
A10=-0.60174E-04,A12=-0.90736E-06,A14=0.45223E-06
第９面
K=-0.56352E+01,A4=-0.31650E-01,A6=0.13922E-01,A8=-0.28640E-02,
A10=0.32907E-03,A12=-0.13209E-04,A14=-0.45117E-06
第１０面
K=0.53311E+01,A4=-0.41119E-01,A6=0.96922E-02,A8=-0.53135E-03,
A10=-0.19677E-03,A12=0.37983E-04,A14=-0.19656E-05
第１１面
K=-0.11151E+02,A4=-0.32603E-01,A6=0.62546E-02,A8=-0.93502E-03,
A10=0.83336E-04,A12=-0.45432E-05,A14=0.11774E-06
実施例８の撮像レンズの単レンズデータを以下に示す。
レンズ    始面    焦点距離(mm)
１       2          4.079
２       4         -7.408
３       6        -39.498
４       8          3.348
５      10         -3.214
実施例８の撮像レンズの条件式（１）〜（６），（８）〜（１０）に対応する値を以下に示す。
（１）ｆ１２／ｆ＝１．２０９
（２）ｆ２／ｆ＝−１．３２２
（３）ｒ４／ｆ＝０．４５２
（４）ν１−ν２＝２９．８
（５）ｎ２＝１．６３２
（６）Ｐａｉｒ２３／Ｐ＝−１．９１０
（８）｜ｆ３｜／ｆ＝７．０４７
（９）ｄ４５６／ｆ＝０．２９１
（１０）Ｌ／２Ｙ＝０．９６０
実施例８においては、第１レンズはガラスモールドレンズ、第２レンズから第５レンズはプラスチック材料から形成されている。
【００９５】
図１８は、実施例８の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１９は、実施例８の撮像レンズの収差図（球面収差、非点収差、歪曲収差、メリディオナルコマ収差）である。
【００９６】
（実施例９）
実施例９の撮像レンズの全体諸元を以下に示す。なお、実施例９は本発明に属さない。
ｆ＝３．６１ｍｍ
ｆＢ＝０．３９ｍｍ
Ｆ＝２．０６
２Ｙ＝４．４８ｍｍ
ＥＮＴＰ＝０．００ｍｍ
ＥＸＴＰ＝−２．３０ｍｍ
Ｈ１＝−１．２４ｍｍ
Ｈ２＝−３．２２ｍｍ
実施例９の撮像レンズの面データを以下に示す。
面番号        ｒ(mm)      ｄ(mm)      Ｎｄ      νｄ    有効半径(mm)
１（絞り）    ∞        -0.14                            0.88
２＊         1.852       0.66      1.54470    56.2       0.89
３＊       -12.167       0.12                            0.94
４＊         3.704       0.35      1.63200    23.4       0.98
５＊         1.569       0.40                            0.97
６＊         4.865       0.35      1.63200    23.4       1.05
７＊         5.427       0.23                            1.18
８＊       -96.022       1.14      1.54470    56.2       1.34
９＊        -0.884       0.13                            1.53
10＊       -18.193       0.40      1.54470    56.2       1.68
11＊         0.826       0.40                            2.02
12            ∞         0.15      1.51630    64.1       2.10
13            ∞                                         2.12
非球面係数を以下に示す。
第２面
K=0.10631E-01,A4=-0.10057E-01,A6=0.11933E-01,A8=-0.50449E-01,
A10=0.71656E-01,A12=-0.58082E-01,A14=0.17190E-01
第３面
K=0.30000E+02,A4=-0.18368E-01,A6=0.81203E-01,A8=-0.99672E-01,
A10=0.11165E-01,A12=0.54838E-01,A14=-0.31170E-01
第４面
K=0.81380E+01,A4=-0.14141E+00,A6=0.22888E+00,A8=-0.26223E+00,
A10=0.14821E+00,A12=-0.38855E-01,A14=0.59288E-02
第５面
K=-0.49618E+01,A4=-0.16074E-01,A6=0.17837E+00,A8=-0.25983E+00,
A10=0.33521E+00,A12=-0.29218E+00,A14=0.11473E+00
第６面
K=0.98544E+00,A4=-0.12169E+00,A6=0.43174E-02,A8=0.51214E-01,
A10=-0.23021E-02,A12=0.13907E-01,A14=-0.20352E-01
第７面
K=0.12055E+02,A4=-0.76270E-01,A6=0.21440E-01,A8=-0.88727E-01,
A10=0.13836E+00,A12=-0.58141E-01,A14=0.46039E-02
第８面
K=0.30000E+02,A4=0.31981E-01,A6=-0.12836E-01,A8=-0.22187E-01,
A10=0.66583E-02,A12=0.66984E-02,A14=-0.21987E-02
第９面
K=-0.49531E+01,A4=-0.10167E+00,A6=0.10512E+00,A8=-0.56999E-01,
A10=0.17059E-01,A12=-0.51067E-02,A14=0.10718E-02
第１０面
K=-0.20682E+02,A4=-0.17526E+00,A6=0.94906E-01,A8=-0.12382E-01,
A10=-0.12609E-01,A12=0.60013E-02,A14=-0.76036E-03
第１１面
K=-0.62341E+01,A4=-0.11891E+00,A6=0.62455E-01,A8=-0.23532E-01,
A10=0.54495E-02,A12=-0.72881E-03,A14=0.43268E-04
実施例９の撮像レンズの単レンズデータを以下に示す。
レンズ    始面    焦点距離(mm)
１       2          3.000
２       4         -4.601
３       6         59.925
４       8          1.631
５      10         -1.440
実施例９の撮像レンズの条件式（１）〜（６），（８）〜（１０）に対応する値を以下
に示す。
（１）ｆ１２／ｆ＝１．５３４
（２）ｆ２／ｆ＝−１．２７６
（３）ｒ４／ｆ＝０．４３５
（４）ν１−ν２＝３２．６
（５）ｎ２＝１．６３２
（６）Ｐａｉｒ２３／Ｐ＝−０．９０９
（８）｜ｆ３｜／ｆ＝１６．６１３
（９）ｄ４５６／ｆ＝０．２７１
（１０）Ｌ／２Ｙ＝１．０４０
実施例９においては、第１レンズはガラスモールドレンズ、第２レンズから第５レンズ
はプラスチック材料から形成されている。
【００９７】
図２０は、実施例９の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２１は、実施例９の撮像レンズの収差図（球面収差、非点収差、歪曲収差、メリディオナルコマ収差）である。
【００９８】
（実施例１０）
実施例１０の撮像レンズの全体諸元を以下に示す。
ｆ＝３．６２ｍｍ
ｆＢ＝０．６２ｍｍ
Ｆ＝２．０６
２Ｙ＝４．５０ｍｍ
ＥＮＴＰ＝０．００ｍｍ
ＥＸＴＰ＝−１．９５ｍｍ
Ｈ１＝−１．４９ｍｍ
Ｈ２＝−３．０１ｍｍ
実施例１０の撮像レンズの面データを以下に示す。
面番号        ｒ(mm)      ｄ(mm)      Ｎｄ      νｄ    有効半径(mm)
１（絞り）    ∞        -0.30                            0.88
２＊         1.511       0.70      1.54470    56.2       0.88
３＊       -10.723       0.05                            0.90
４＊         4.941       0.35      1.63200    23.4       0.90
５＊         1.535       0.41                            0.90
６＊        -7.026       0.35      1.58300    30.0       1.00
７＊       -14.330       0.05                            1.10
８＊       -49.611       1.03      1.54470      56.2     1.20
９＊        -1.003       0.27                            1.50
10＊        -3.260       0.40      1.54470      56.2     1.70
11＊         1.387       0.16                            2.00
12            ∞         0.15      1.51680      64.2     2.40
13            ∞                                         2.40
非球面係数を以下に示す。
第２面
K=0.26408E+00,A4=0.29716E-02,A6=0.14665E-01,A8=-0.35400E-01,
A10=0.74560E-01,A12=-0.49028E-01,A14=0.18846E-01
第３面
K=-0.30000E+02,A4=0.57582E-01,A6=0.55984E-02,A8=0.29750E-01,
A10=-0.87303E-02,A12=-0.66251E-01,A14=0.31630E-01
第４面
K=0.10000E+02,A4=-0.10739E+00,A6=0.15115E+00,A8=-0.20859E+00,
A10=0.17872E+00,A12=-0.17956E+00,A14=0.10637E-01
第５面
K=-0.43515E+01,A4=-0.14707E-01,A6=0.17275E+00,A8=-0.20691E+00,
A10=0.34057E+00,A12=-0.31457E+00,A14=0.10537E+00
第６面
K=0.29405E+02,A4=-0.12377E+00,A6=-0.13716E-01,A8=0.15016E+00,
A10=0.62940E-01,A12=0.65542E-01,A14=-0.12521E+00
第７面
K=0.30000E+02,A4=-0.89231E-01,A6=-0.49504E-02,A8=0.52767E-01,
A10=0.35405E-01,A12=-0.80319E-03,A14=-0.17326E-01
第８面
K=-0.20000E+02,A4=-0.65194E-02,A6=0.63353E-02,A8=0.11005E-01,
A10=0.17189E-02,A12=-0.14236E-02,A14=-0.22780E-02
第９面
K=-0.44340E+01,A4=-0.14296E+00,A6=0.15642E+00,A8=-0.72174E-01,
A10=0.22527E-01,A12=-0.19585E-02,A14=-0.81916E-03
第１０面
K=0.78130E+00,A4=-0.12832E+00,A6=0.11001E+00,A8=-0.14964E-01,
A10=-0.12910E-01,A12=0.60002E-02,A14=-0.77936E-03
第１１面
K=-0.11461E+02,A4=-0.13068E+00,A6=0.70515E-01,A8=-0.24317E-01,
A10=0.51457E-02,A12=-0.72477E-03,A14=0.52668E-04
実施例１０の撮像レンズの単レンズデータを以下に示す。
レンズ    始面    焦点距離(mm)
１       2          2.482
２       4         -3.671
３       6        -24.067
４       8          1.866
５      10         -1.734
実施例１０の撮像レンズの条件式（１）〜（６），（８）〜（１０）に対応する値を以下に示す。
（１）ｆ１２／ｆ＝１．２７７
（２）ｆ２／ｆ＝−１．０１３
（３）ｒ４／ｆ＝０．４２４
（４）ν１−ν２＝３２．６
（５）ｎ２＝１．６３２
（６）Ｐａｉｒ２３／Ｐ＝−１．８４３
（８）｜ｆ３｜／ｆ＝６．６４０
（９）ｄ４５６／ｆ＝０．２２３
（１０）Ｌ／２Ｙ＝１．００１
実施例１０においては、第１レンズはガラスモールドレンズ、第２レンズから第５レンズはプラスチック材料から形成されている。
【００９９】
図２２は、実施例１０の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２３は、実施例１０の撮像レンズの収差図（球面収差、非点収差、歪曲収差、メリディオナルコマ収差）である。
【０１００】
（実施例１１）
実施例１１の撮像レンズの全体諸元を以下に示す。なお、実施例１１は本発明に属さない。
ｆ＝４．６０ｍｍ
ｆＢ＝０．４０ｍｍ
Ｆ＝２．８８
２Ｙ＝７．１４ｍｍ
ＥＮＴＰ＝０．００ｍｍ
ＥＸＴＰ＝−３．０７ｍｍ
Ｈ１＝−１．５０ｍｍ
Ｈ２＝−４．２０ｍｍ
実施例１１の撮像レンズの面データを以下に示す。
面番号        ｒ(mm)      ｄ(mm)      Ｎｄ      νｄ    有効半径(mm)
１（絞り）    ∞         0.0                           0.80
２＊         2.445      0.78      1.54470      56.2      0.92
３＊       -11.409      0.07                             1.04
４＊         6.184      0.35      1.63200      23.4      1.10
５＊         2.064      0.44                             1.19
６＊        16.514      0.58      1.54470      56.2      1.38
７＊       -40.318      0.33                             1.54
８＊       -22.031      1.09      1.54470      56.2      1.91
９＊        -1.738      0.73                             2.08
10＊       -16.209      0.50      1.54470      56.2      2.47
11＊         1.750      0.60                             3.09
12            ∞        0.15      1.51630      64.1      3.34
13            ∞                                         3.39
非球面係数を以下に示す。
第２面
K=0.34852E+00,A4=0.95169E-03,A6=0.45053E-03,A8=-0.14078E-02,
A10=0.11006E-02,A12=0.25515E-03,A14=0.17386E-02
第３面
K=-0.30000E+02,A4=0.27328E-01,A6=0.11966E-02,A8=0.29100E-02,
A10=0.21339E-02,A12=0.42425E-03,A14=-0.45296E-03
第４面
K=0.39989E+01,A4=-0.43443E-01,A6=0.25867E-01,A8=-0.38316E-02,
A10=0.36971E-02,A12=-0.16886E-02,A14=-0.76694E-03
第５面
K=-0.53885E+01,A4=-0.29279E-02,A6=0.18318E-01,A8=-0.83248E-02,
A10=0.56376E-02,A12=-0.20547E-02,A14=0.39571E-04
第６面
K=0.30000E+02,A4=-0.26312E-01,A6=0.20648E-02,A8=0.51607E-02,
A10=0.67073E-03,A12=0.22844E-03,A14=-0.23941E-03
第７面
K=0.30000E+02,A4=-0.26519E-01,A6=-0.77065E-03,A8=0.19234E-02,
A10=0.86691E-03,A12=0.13548E-03,A14=-0.67858E-04
第８面
K=-0.29838E+02,A4=0.78863E-03,A6=0.14268E-02,A8=0.66303E-03,
A10=-0.30077E-04,A12=-0.18786E-04,A14=-0.11717E-05
第９面
K=-0.46460E+01,A4=-0.29285E-01,A6=0.16408E-01,A8=-0.27466E-02,
A10=0.34675E-03,A12=-0.14412E-04,A14=-0.25625E-05
第１０面
K=0.16766E+02,A4=-0.48178E-01,A6=0.95145E-02,A8=-0.47897E-03,
A10=-0.17233E-03,A12=0.39375E-04,A14=-0.23703E-05
第１１面
K=-0.62315E+01,A4=-0.29266E-01,A6=0.59213E-02,A8=-0.91132E-03,
A10=0.85007E-04,A12=-0.47477E-05,A14=0.12725E-06
実施例１１の撮像レンズの単レンズデータを以下に示す。
レンズ    始面    焦点距離(mm)
１       2          3.772
２       4         -5.070
３       6         21.586
４       8          3.401
５      10         -2.871
実施例１１の撮像レンズの条件式（１）〜（６），（８）〜（１０）に対応する値を以
下に示す。
（１）ｆ１２／ｆ＝１．９５０
（２）ｆ２／ｆ＝−１．１０１
（３）ｒ４／ｆ＝０．４４８
（４）ν１−ν２＝３２．６
（５）ｎ２＝１．６３２
（８）Ｐａｉｒ２３／Ｐ＝−１．２３８
（９）｜ｆ３｜／ｆ＝４．６８８
（１０）ｄ４５６／ｆ＝０．２９３
（９）Ｌ／２Ｙ＝０．８３６
実施例１１においては、第１レンズはガラスモールドレンズ、第２レンズから第５レン
ズはプラスチック材料から形成されている。
【０１０１】
図２４は、実施例１１の撮像レンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２５は、実施例１１の撮像レンズの収差図（球面収差、非点収差、歪曲収差、メリディオナルコマ収差）である。
【０１０２】
（実施例１２）
実施例１２の撮像レンズの全体諸元を以下に示す。なお、実施例１２は本発明に属さない。
ｆ＝５．０３ｍｍ
ｆＢ＝０．３７ｍｍ
Ｆ＝２．８８
２Ｙ＝７．０１６ｍｍ
ＥＮＴＰ＝０．６４ｍｍ
ＥＸＴＰ＝−３．０４ｍｍ
Ｈ１＝−１．７７ｍｍ
Ｈ２＝−４．６６ｍｍ
実施例１２の撮像レンズの面データを以下に示す。
面番号        Ｒ(mm)      Ｄ(mm)      Ｎｄ      νｄ    有効半径(mm)
１            ∞         0.00                            1.39
２＊         2.076       0.74      1.62260      58.2     1.14
３＊         9.861       0.08                            0.84
４（絞り）    ∞         0.07                            0.76
５＊         3.580       0.32      2.00170      19.3     0.80
６＊         2.302       0.49                            0.84
７＊        -4.977       0.68      1.54470      56.2     1.07
８＊        -2.512       0.76                            1.33
９＊        -2.866       0.87      1.54470      56.2      1.74
10＊        -1.150       0.32                             2.04
11＊        -2.863       0.45      1.54470      56.2      2.61
12＊         2.052       0.60                             3.04
13            ∞         0.30      1.51630      64.1      3.44
14            ∞                                          3.51
非球面係数を以下に示す。
第２面
K=0.17081E+00,A4=0.57736E-03,A6=0.11941E-02,A8=-0.21949E-03,
A10=-0.40061E-03,A12=0.13228E-02,A14=-0.64952E-03
第３面
K=-0.30000E+02,A4=-0.19978E-01,A6=0.35103E-01,A8=-0.29652E-01,
A10=0.15784E-01,A12=-0.14700E-02,A14=-0.42152E-02
第５面
K=-0.10189E+02,A4=-0.21921E-01,A6=0.44111E-01,A8=-0.49675E-01,
A10=0.41320E-01,A12=-0.14420E-01,A14=-0.70668E-02
第６面
K=-0.29336E+01,A4=0.68393E-03,A6=0.39910E-01,A8=-0.20513E-01,
A10=0.11484E-01,A12=0.80308E-02,A14=-0.12193E-01
第７面
K=0.16240E+02,A4=-0.24158E-01,A6=0.90376E-02,A8=0.29408E-02,
A10=0.93887E-02,A12=0.39989E-02,A14=0.25658E-02
第８面
K=0.83881E+00,A4=-0.19966E-01,A6=0.83970E-02,A8=-0.56282E-02,
A10=0.25793E-02,A12=-0.55828E-05,A14=0.46892E-03
第９面
K=0.64207E-01,A4=-0.40683E-01,A6=0.23565E-01,A8=-0.48901E-02,
A10=-0.44936E-03,A12=0.55284E-03,A14=-0.84814E-04
第１０面
K=-0.32016E+01,A4=-0.49758E-01,A6=0.14552E-01,A8=-0.14208E-02,
A10=0.25295E-03,A12=-0.28664E-04,A14=-0.10014E-05
実施例１２の撮像レンズの単レンズデータを以下に示す。
レンズ  始面  焦点距離(mm)
１     2         4.074
２     5        -7.369
３     7         8.489
４     9         2.992
５    11        -2.126
実施例１２の撮像レンズの条件式（１）〜（６），（８）〜（１０）に対応する値を以下に示す。
（１）ｆ１２／ｆ＝１．３２
（２）ｆ２／ｆ＝−１．４７
（３）ｒ４／ｆ＝０．４６
（４）ｖ１−ｖ２＝３８．８
（５）ｎ２＝２．００２
（６）Ｐａｉｒ２３／Ｐ＝−２．８６
（８）｜ｆ３｜／ｆ＝１．６９
（９）ｄ４５６／ｆ＝０．３８
（１０）Ｌ／２Ｙ＝０．８５
実施例１２においては、第１レンズ、第２レンズはガラスモールドレンズ、第３レンズから第５レンズはプラスチック材料から形成されている。
【０１０３】
図２６は実施例１２のレンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２７は実施例１２の収差図（球面収差、非点収差、歪曲収差、メリディオナルコマ収差）である。
【０１０４】
（実施例１３）
実施例１３の撮像レンズの全体諸元を以下に示す。なお、実施例１３は本発明に属さない。
ｆ＝５．０７ｍｍ
ｆＢ＝０．３ｍｍ
Ｆ＝２．７９
２Ｙ＝７．０１６ｍｍ
ＥＮＴＰ＝０．６６ｍｍ
ＥＸＴＰ＝−３．０９ｍｍ
Ｈ１＝−１．８７ｍｍ
Ｈ２＝−４．７８ｍｍ
実施例１３の撮像レンズの面データを以下に示す。
面番号        Ｒ(mm)      Ｄ(mm)      Ｎｄ      νｄ    有効半径(mm)
１            ∞         0.00                            1.45
２＊         1.990       0.78      1.58910    61.3       1.17
３＊        22.611       0.06                            0.87
４（絞り）    ∞         0.07                            0.79
５＊         3.996       0.30      1.84670    23.8       0.82
６＊         2.114       0.52                            0.87
７＊        -5.328       0.75      1.54470    56.2       1.14
８＊        -2.477       0.73                            1.40
９＊        -2.458       0.74      1.54470    56.2       1.80
10＊        -1.318       0.45                            2.10
11＊        -3.805       0.47      1.54470    56.2       2.72
12＊         2.432       0.60                            3.12
13            ∞         0.30      1.51630    64.1       3.51
14            ∞         3.59
非球面係数を以下に示す。
第２面
K=0.16048E+00,A4=0.44085E-03,A6=0.16448E-02,A8=-0.13931E-02,
A10=-0.66799E-03,A12=0.27957E-02,A14=-0.16437E-02
第３面
K=-0.30000E+02,A4=-0.15140E-01,A6=0.38292E-01,A8=-0.40451E-01,
A10=0.21525E-01,A12=-0.49219E-02,A14=-0.38410E-02
第５面
K=-0.15084E+02,A4=-0.27916E-01,A6=0.58588E-01,A8=-0.66309E-01,
A10=0.51360E-01,A12=-0.28248E-01,A14=-0.12346E-02
第６面
K=-0.30864E+01,A4=0.55676E-03,A6=0.54032E-01,A8=-0.26718E-01,
A10=0.91528E-02,A12=0.89625E-02,A14=-0.12265E-01
第７面
K=0.18880E+02,A4=-0.28541E-01,A6=0.10280E-01,A8=-0.82048E-04,
A10=0.81285E-02,A12=0.37207E-02,A14=0.30301E-02
第８面
K=0.91085E+00,A4=-0.23223E-01,A6=0.10704E-01,A8=-0.78952E-02,
A10=0.32298E-02,A12=-0.41123E-03,A14=0.40575E-03
第９面
K=-0.10664E+00,A4=-0.46339E-01,A6=0.31462E-01,A8=-0.63701E-02,
A10=-0.67015E-03,A12=0.84181E-03,A14=-0.14368E-03
第１０面
K=-0.28588E+01,A4=-0.52964E-01,A6=0.18411E-01,A8=-0.19022E-02,
A10=0.33631E-03,A12=-0.48093E-04,A14=-0.17968E-05
実施例１３の撮像レンズの単レンズデータを以下に示す。
レンズ    始面    焦点距離(mm)
１       2          3.652
２       5         -5.723
３       7          7.779
４       9          4.248
５      11         -2.654
実施例１３の撮像レンズの条件式（１）〜（６），（８）〜（１０）に対応する値を以
下に示す。
（１）ｆ１２／ｆ＝１．３３
（２）ｆ２／ｆ＝−１．１３
（３）ｒ４／ｆ＝０．４２
（４）ｖ１−ｖ２＝３７．５
（５）ｎ２＝１．８４７
（６）Ｐａｉｒ２３／Ｐ＝−２．６６
（８）｜ｆ３｜／ｆ＝１．５３
（９）ｄ４５６／ｆ＝０．３９
（１０）Ｌ／２Ｙ＝０．８５
実施例１３においては、第１レンズ、第２レンズはガラスモールドレンズ、第３レンズか
ら第５レンズはプラスチック材料から形成されている。
【０１０５】
図２８は実施例１３のレンズの断面図である。図中Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２９は実施例１３の収差図（球面収差、非点収差、歪曲収差）である。
【０１０６】
ここで、プラスチック材料は温度変化時の屈折率変化が大きいため、第１レンズから第５レンズの全てをプラスチックレンズで構成すると、周囲温度が変化した際に、撮像レンズ全系の像点位置が変動してしまうという問題をかかえてしまう。
【０１０７】
そこで最近では、プラスチック材料中に無機微粒子を混合させ、プラスチック材料の温度変化を小さくできることが分かってきた。詳細に説明すると、一般に透明なプラスチック材料に微粒子を混合させると、光の散乱が生じ透過率が低下するため、光学材料として使用することは困難であったが、微粒子の大きさを透過光束の波長より小さくすることにより、散乱が実質的に発生しないようにできる。プラスチック材料は温度が上昇することにより屈折率が低下してしまうが、無機粒子は温度が上昇すると屈折率が上昇する。そこで、これらの温度依存性を利用して互いに打ち消しあうように作用させることにより、屈折率変化がほとんど生じないようにすることができる。具体的には、母材となるプラスチック材料に最大長が２０ナノメートル以下の無機粒子を分散させることにより、屈折率の温度依存性のきわめて低いプラスチック材料となる。例えばアクリルに酸化ニオブ（Ｎｂ２Ｏ５）の微粒子を分散させることで、温度変化による屈折率変化を小さくすることができる。本発明において、比較的屈折力の大きな正レンズ（Ｌ１）、またはすべてのレンズ（Ｌ１〜Ｌ５）に、このような無機粒子を分散させたプラスチック材料を用いることにより、撮像レンズ全系の温度変化時の像点位置変動を小さく抑えることが可能となる。
【０１０８】
なお、本実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部にいくほど各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【符号の説明】
【０１０９】
１０  撮像レンズ
５０  撮像装置
５１  撮像素子
５２  基板
５３  筐体
５５  鏡枠
１００  携帯電話機
Ｌ１  第１レンズ
Ｌ２  第２レンズ
Ｌ３  第３レンズ
Ｌ４  第４レンズ
Ｌ５  第５レンズ
Ｓ  開口絞り
Ｉ  撮像面
Ｆ  平行平板
【図２６】
0005435072.tif 000003
【図２７】
0005435072.tif 000004
【図２８】
0005435072.tif 000005
【図２９】
0005435072.tif 000006
【図１】
0005435072.tif 000007
【図２】
0005435072.tif 000008
【図３】
0005435072.tif 000009
【図４】
0005435072.tif 000010
【図５】
0005435072.tif 000011
【図６】
0005435072.tif 000012
【図７】
0005435072.tif 000013
【図８】
0005435072.tif 000014
【図９】
0005435072.tif 000015
【図１０】
0005435072.tif 000016
【図１１】
0005435072.tif 000017
【図１２】
0005435072.tif 000018
【図１３】
0005435072.tif 000019
【図１４】
0005435072.tif 000020
【図１５】
0005435072.tif 000021
【図１６】
0005435072.tif 000022
【図１７】
0005435072.tif 000023
【図１８】
0005435072.tif 000024
【図１９】
0005435072.tif 000025
【図２０】
0005435072.tif 000026
【図２１】
0005435072.tif 000027
【図２２】
0005435072.tif 000028
【図２３】
0005435072.tif 000029
【図２４】
0005435072.tif 000030
【図２５】
0005435072.tif 000031